(57)【要約】【課題】使用者に疲労感を与えることなく、摘み上げ作用による顔のマッサージが可能な美容用マッサージ器を提供する。【解決手段】美容用マッサージ器１は、ハンドル２と、ハンドル２に回転可能に取り付けられた一対のローラー３ａ及び３ｂとを備える。ハンドル２は、一対のローラー３ａ及び３ｂを下にした状態で美容用マッサージ器１を水平台に載置した際に、水平台とハンドル２の基端側との間に、間隙ｗ１が設けられるように、ローラー３ａ及び３ｂの基端側が持ち上がった形状を有している。間隙ｗ１の横幅ｍ１は、正面視において、３ｃｍ以上６ｃｍ以下である。ハンドル２は、正面視において、下側及び上側の稜線ｓ２及びｕ２が下側に膨らむ曲線状を有しており、かつ、基端側ｋ２が先細となる形状を有している。【選択図】図８
0003219470.tif 000002
【実用新案登録請求の範囲】
【請求項１】
ハンドルと、前記ハンドルに回転可能に取り付けられた一対のローラーとを備える美容用マッサージ器であって、
前記ハンドルは、前記一対のローラーを下にした状態で前記美容用マッサージ器を水平台に載置した際に、前記水平台と前記ハンドルの基端側との間に、間隙が設けられるように、前記ハンドルの基端側が持ち上がった形状を有しており、
前記間隙の横幅は、正面視において、３ｃｍ以上６ｃｍ以下であり、
前記ハンドルは、正面視において、下側及び上側の稜線が下側に膨らむ曲線状を有しており、かつ、基端側が先細となる形状を有していることを特徴とする、美容用マッサージ器。
【請求項２】
ハンドルと、前記ハンドルに回転可能に取り付けられた一対のローラーとを備える美容用マッサージ器であって、
前記ハンドルは、前記一対のローラーを下にした状態で前記美容用マッサージ器を水平台に載置した際に、前記水平台と前記ハンドルの基端側との間に、間隙が設けられるように、前記ハンドルの基端側が持ち上がった形状を有していることを特徴とする、美容用マッサージ器。
【請求項３】
前記間隙の横幅は、正面視において、１ｃｍ以上であることを特徴とする、請求項２に記載の美容用マッサージ器。
【請求項４】
前記間隙の横幅は、正面視において、２ｃｍ以上であることを特徴とする、請求項３に記載の美容用マッサージ器。
【請求項５】
前記間隙の横幅は、正面視において、３ｃｍ以上であることを特徴とする、請求項４に記載の美容用マッサージ器。
【請求項６】
前記間隙の横幅は、正面視において、６ｃｍ以下となるように、設けられていることを特徴とする、請求項５に記載の美容用マッサージ器。
【請求項７】
前記ハンドルは、正面視において、下側の稜線が下側に膨らむ曲線状を少なくとも一部に有していることを特徴とする、請求項２〜６のいずれかに記載の美容用マッサージ器。
【請求項８】
前記ハンドルは、正面視において、下側の稜線が上側に膨らむ曲線状を少なくとも一部に有していることを特徴とする、請求項２〜６のいずれかに記載の美容用マッサージ器。
【請求項９】
前記ハンドルは、正面視において、上側の稜線が下側又は上側に膨らむ曲線状を少なくとも一部に有していることを特徴とする、請求項２〜８のいずれかに記載の美容用マッサージ器。
【請求項１０】
前記ハンドルは、正面視において、上側及び／又は下側の稜線が波打つ曲線状を少なくとも一部に有していることを特徴とする、請求項２〜６のいずれかに記載の美容用マッサージ器。
【請求項１１】
前記ハンドルは、前記水平台と接触する部分から基端側にかけて、斜め上方向に湾曲していることを特徴とする、請求項２〜６のいずれかに記載の美容用マッサージ器。
【請求項１２】
前記ハンドルは、前記水平台と接触する部分から基端側にかけて、斜め上方向に屈曲していることを特徴とする、請求項２〜６のいずれかに記載の美容用マッサージ器。
【請求項１３】
前記一対のローラーを下にした状態で前記美容用マッサージ器を水平台に載置した際に、正面視において、各前記ローラーの回転軸の軸線と前記水平台を示す水平基準線との間の角度は、鋭角であることを特徴とする、請求項１〜１２のいずれかに記載の美容用マッサージ器。
【請求項１４】
前記一対のローラーを下にした状態で前記美容用マッサージ器を水平台に載置した際に、正面視において、各前記ローラーの回転軸の軸線と前記水平台を示す水平基準線との間の角度は、９０度以上１８０度未満であることを特徴とする、請求項１〜１２のいずれかに記載の美容用マッサージ器。
【請求項１５】
少なくとも１つの前記ローラーは、支持軸の先端側が略半球状であり、支持軸の基端側が略円錐台状であり、
前記略半球状の部分は、曲面部と、複数の多面体部とを有することを特徴とする、請求項１〜１４のいずれかに記載の美容用マッサージ器。
【請求項１６】
前記略円錐台状の部分は、複数の多面体部を有することを特徴とする、請求項１５に記載の美容用マッサージ器。
【請求項１７】
ハンドルと、前記ハンドルに回転可能に指示されたローラーとを備える美容用マッサージ器であって、
前記ローラーは、支持軸の先端側が略半球状であり、支持軸の基端側が略円錐台状であり、
前記略半球状の部分は、多面体状にカットされていない曲面部と、多面体状にカットされた複数の多面体部とを有することを特徴とする、美容用マッサージ器。
【考案の詳細な説明】
【技術分野】
【０００１】
本考案は、美容用マッサージ器に関し、より特定的には、ハンドルの先端に回転可能なローラーを有する美容用マッサージ器に関する。
【背景技術】
【０００２】
特許文献１に記載の美容器は、正面視において、ハンドルが上側に膨らむように山状に湾曲しており、ハンドルの先端が二股に分かれており、二股部に一対の回転可能な球体状のローラーを備えている。特許文献１に記載の美容器では、ハンドルを移動させて、一対の球体状のローラーを回転させることで、肌の摘まみ上げを実現している。
【０００３】
特許文献２に記載の美容器は、目元や口元などの狭い部分をマッサージするための美容器であり、棒状のハンドルの先端が二股に分かれており、二股部に一対の回転可能な球体状のローラーを備えている。特許文献２に記載の美容器においても、ハンドルを移動させて、一対の球体状のローラーを回転させることで、肌の摘まみ上げを実現している。
【０００４】
図８（ａ）は、従来の美容用マッサージ器の一例の正面図である。図８（ａ）では、ローラー９２を下にした状態で、美容用マッサージ器９０を水平な台の上に載置したとしたときの正面図を示している。以後、器具を水平な台の上に載置した際の正面視における水平面を水平基準線ということにする。
【０００５】
美容用マッサージ器９０は、水平基準線に対して、ハンドル９１が上側に膨らむように山型に湾曲している。ローラー９２の回転軸の軸線Ｌ１と水平基準線との間の角ａ１が鋭角である場合に、角ａ１の方向（図８（ａ）上の左から右の方向）に美容用マッサージ器９０を移動させると、一対のローラーが回転して、肌を摘み上げる。特許文献１及び２の美容器についても、同様に、摘み上げ作用を生じさせる。
【０００６】
なお、水平基準線とローラーの回転軸の軸線との間の角が鋭角となる方向に美容用マッサージ器を移動させて、一対のローラーを回転させることによって、肌を摘み上げる作用が生じることは、特許文献１及び特許文献２以外にも、多数開示されており、枚挙に暇がなく、その点に関しては、周知技術に過ぎない。
【先行技術文献】
【特許文献】
【０００７】
【特許文献１】特開２０１３−１０３０８６
【特許文献２】特開２０１５−１８６５４０
【考案の概要】
【考案が解決しようとする課題】
【０００８】
しかし、特許文献１に記載の美容用マッサージ器のハンドルは、水平基準線に対して、上側に膨らむように湾曲するような形状を有している。図８（ａ）に示す従来の美容用マッサージ器９０についても同様である。上側に膨らむように湾曲しているハンドルを用いた場合、顔をマッサージする際、ハンドルの基端側が、顔の方に向かってしまうこととなるので、手首を顔の近くにまで上げる必要がある。そのため、従来の美容用マッサージ器では、マッサージの際に、手首や肩が疲れるという問題があった。なお、ハンドルの基端側とは、ローラーが取り付けられているハンドルの先端側とは、逆の方向のことをいう。
【０００９】
以下、この問題について、さらに、具体的に、図９（ａ）及び図１０Ａないし図１０Ｃを用いて説明する。
【００１０】
図９（ａ）は、顔などの身体に対して、従来の美容用マッサージ器９０のローラー９２を当てて、矢印ｙの方向（図上、下から上の方向）に美容用マッサージ器９０を移動させて、摘み上げ作用を生じさせようとした場合の様子を示す図である。使用者は、概ね、図９（ａ）におけるｃ１の領域のハンドル９１を掴んで、美容用マッサージ器９０を移動させる。その際、図９（ａ）に示すように、ハンドル９１が、顔などの身体側に向かって湾曲する形状を有しているため、ハンドル９１を握る手は、自ずと、顔などの身体側に近くなってしまい、場合によっては、顔に、手が当たるほど近接してしまう場合もある。
【００１１】
図１０Ａは、従来の美容用マッサージ器９０を顔９３に当ててマッサージする際の様子を模式的に示す正面図である。図１０Ｂは、従来の美容用マッサージ器９０を顔９３に当ててマッサージする際の様子を模式的に示す斜視図である。図１０Ｃは、従来の美容用マッサージ器９０を顔９３に当ててマッサージする際の様子を模式的に示す平面図である。図１０Ａないし図１０Ｃでは、美容用マッサージ器９０の位置の違いに応じて、（ａ）ないし（ｈ）の表記を行っている。なお、図１０Ａないし図１０Ｃに示すマッサージの方向は、あくまでも一例に過ぎず、図示していない方向にマッサージしてもよいことは、言うまでもない。図１０Ａ及び図１０Ｂに示す矢印の方向は、摘み上げ作用が生じる移動方向である。
【００１２】
たとえば、左手又は右手で美容用マッサージ器９０を把持して、あごのラインをマッサージする場合は、（ａ）から（ｂ）の方向に移動し、頬骨やほうれい線をマッサージする場合は、（ｃ）から（ｄ）の方向に移動する。このときは、腕を引く動きで、美容用マッサージ器９０を移動させることができるので、ハンドル９１が下から上に向けて湾曲する形状であっても、比較的、移動に不自由さは感じにくい。しかし、（ａ）から（ｂ）の方向や（ｃ）から（ｄ）の方向の場合、美容用マッサージ器９０を上から下に移動させることとなり、摘まみ上げ作用も、上から下方向に生じることとなる。
【００１３】
したがって、下から上方向に摘まみ上げ作用を生じさせたい場合、上から下への移動ではなく、下から上への移動が必要となる。すなわち、図１０Ａで示す（ｅ）から（ｆ）の方向への移動や、（ｇ）から（ｈ）方向への移動が必要となる。
【００１４】
しかし、（ｅ）から（ｆ）の方向への移動や（ｇ）から（ｈ）方向への移動の場合、図９（ａ）、図１０Ｂ及び図１０Ｃに示すように、ハンドル９１を顔に近づけなければ、肌線と軸線との間の角度ａ１を鋭角にすることができない。ところが、ハンドル９１を顔に近づけるように操作しようとした場合、ハンドル９１を握る手と顔と近接させる必要があり、手首や腕を持ち上げる動作が必要となる。そのため、使用者によっては、腕や手首に疲労を感じてしまう場合がある。
【００１５】
その疲労感のために、使用者が、図９（ａ）に示す位置よりも、ハンドル９１を倒して、角度ａ１を９０度よりも大きくにしてしまったとすると、矢印ｙ方向（すなわち、下から上）に移動させたとしても、肌線と軸線との関係が鋭角にならないため、摘み上げ作用が生じないこととなる。これでは、下から上への摘み上げ作用によるマッサージ効果は得られない。
【００１６】
このように、従来の美容用マッサージ器を用いた場合、特に、顔などをマッサージする際には、肌線と軸線との間の角度ａ１を鋭角に保つために、ハンドルを起こすように持ち上げて下から上に移動させる必要があり、使用者に疲労感を与えることとなっていた。そして、疲労を感じないように、使用者がハンドルを倒してしまうと、摘み上げ作用が生じず、マッサージ効果が得られないこととなっていた。
【００１７】
それゆえ、本考案は、使用者に疲労感を与えることなく、摘み上げ作用による顔のマッサージが可能な美容用マッサージ器を提供することを目的とする。
【課題を解決するための手段】
【００１８】
上記課題を解決するために、本考案は、以下のような特徴を有する。本考案は、ハンドルと、ハンドルに回転可能に取り付けられた一対のローラーとを備える美容用マッサージ器であって、ハンドルは、一対のローラーを下にした状態で美容用マッサージ器を水平台に載置した際に、水平台とハンドルの基端側との間に、間隙が設けられるように、ハンドルの基端側が持ち上がった形状を有しており、間隙の横幅は、正面視において、３ｃｍ以上６ｃｍ以下であり、ハンドルは、正面視において、下側及び上側の稜線が下側に膨らむ曲線状を有しており、かつ、基端側が先細となる形状を有している。
【００１９】
本考案は、ハンドルと、ハンドルに回転可能に取り付けられた一対のローラーとを備える美容用マッサージ器であって、ハンドルは、一対のローラーを下にした状態で美容用マッサージ器を水平台に載置した際に、水平台とハンドルの基端側との間に、間隙が設けられるように、ハンドルの基端側が持ち上がった形状を有している。
【００２０】
間隙の横幅は、正面視において、１ｃｍ以上であるとよい。
【００２１】
間隙の横幅は、正面視において、２ｃｍ以上であるとよい。
【００２２】
間隙の横幅は、正面視において、３ｃｍ以上であるとよい。
【００２３】
間隙の横幅は、正面視において、３ｃｍ以上６ｃｍ以下となるとよい。
【００２４】
ハンドルは、正面視において、下側の稜線が下側に膨らむ曲線状を少なくとも一部に有しているとよい。
【００２５】
ハンドルは、正面視において、下側の稜線が上側に膨らむ曲線状を少なくとも一部に有しているとよい。
【００２６】
ハンドルは、正面視において、上側の稜線が下側又は上側に膨らむ曲線状を少なくとも一部に有しているとよい。
【００２７】
ハンドルは、正面視において、上側及び／又は下側の稜線が波打つ曲線状を少なくとも一部に有しているとよい。
【００２８】
ハンドルは、水平台と接触する部分から基端側にかけて、斜め上方向に湾曲しているとよい。
【００２９】
ハンドルは、水平台と接触する部分から基端側にかけて、斜め上方向に屈曲しているとよい。
【００３０】
一対のローラーを下にした状態で美容用マッサージ器を水平台に載置した際に、正面視において、各ローラーの回転軸の軸線と水平台を示す水平基準線との間の角度は、鋭角であるとよい。
【００３１】
一対のローラーを下にした状態で美容用マッサージ器を水平台に載置した際に、正面視において、各ローラーの回転軸の軸線と水平台を示す水平基準線との間の角度は、９０度以上１８０度未満であるとよい。
【００３２】
少なくとも１つのローラーは、支持軸の先端側が略半球状であり、支持軸の基端側が略円錐台状であり、略半球状の部分は、曲面部と、複数の多面体部とを有するとよい。
【００３３】
略円錐台状の部分は、複数の多面体部を有するとよい。
【００３４】
本考案は、ハンドルと、ハンドルに回転可能に指示されたローラーとを備える美容用マッサージ器であって、ローラーは、支持軸の先端側が略半球状であり、支持軸の基端側が略円錐台状であり、略半球状の部分は、多面体状にカットされていない曲面部と、多面体状にカットされた複数の多面体部とを有する。
【考案の効果】
【００３５】
本考案によれば、一対のローラーを下にした状態で美容用マッサージ器を水平台に載置した際に、水平台とハンドルの基端側との間に、間隙が設けられるため、顔などの身体をマッサージする際に、ハンドルと顔などの身体との間の間隔を広く取ることが可能となる。そのため、手首や肩を持ち上げて、マッサージしなくても、肌の摘まみ上げ作用を実現することが可能となる。よって、使用者に疲労感を与えることなく、摘み上げ作用による顔のマッサージが可能な美容用マッサージ器を提供することが可能となる。
【００３６】
間隙の横幅を１ｃｍ以上とすれば、基端側の間隙として、指１本分程度の大きさを確保することができるので、ハンドルが把持しやすくなる。
【００３７】
また、間隙の横幅を２ｃｍ以上とすれば、基端側の間隙として、指１本から２本程度の大きさを確保することができるので、確実なハンドルの把持が期待できる。
【００３８】
さらに、間隙の横幅を３ｃｍ以上とすれば、基端側の間隙として、指２本以上の大きさを確保することができるので、ハンドルの把持が確実なものとなる。
【００３９】
そして、間隙の横幅を３ｃｍ以上６ｃｍ以下とすれば、ハンドルの把持を確実にしつつ、良好にマッサージが可能な美容用マッサージ器が提供でき、デザイン性も優れたものとすることができる。
【００４０】
下側の稜線が下側に膨らむ曲線状を少なくとも一部に有していれば、把持しやすく、デザイン性に優れた美容用マッサージ器が提供できる。
【００４１】
下側の稜線が上側に膨らむ曲線状を少なくとも一部に有していれば、把持しやすく、デザイン性に優れた美容用マッサージ器が提供できる。
【００４２】
上側の稜線が下側又は上側に膨らむ曲線状を少なくとも一部に有していれば、把持しやすく、デザイン性に優れた美容用マッサージ器が提供できる。
【００４３】
上側及び／又は下側の稜線が波打つ曲線状を少なくとも一部に有していれば把持しやすく、デザイン性に優れた美容用マッサージ器が提供できる。
【００４４】
水平台と接触する部分から基端側にかけて、斜め上方向に湾曲させることで、間隙が形成される。
【００４５】
水平台と接触する部分から基端側にかけて、斜め上方向に屈曲させることで、間隙が形成される。
【００４６】
ローラーの回転軸の軸線と水平台を示す水平基準線との間の角度を鋭角とすることで、たとえば、ハンドルの基端を上にして、顔にローラーを当てて、ハンドルを下から上に移動させた場合に、摘まみ上げ作用が生じることとなる。
【００４７】
ローラーの回転軸の軸線と水平台を示す水平基準線との間の角度を９０度以上１８０度未満とすることで、たとえば、ハンドルの基端を下にして、顔にローラーを当てて、ハンドルを上から下に移動させた場合に、摘まみ上げ作用が生じることとなる。
【００４８】
ローラーの略半球状の部分の形状を曲面部と複数の多面体部とによって構成することで、デザイン性に優れただけではなく、曲面部での肌への接触が優しいマッサージを実現できると共に、多面体部での摩擦を大きくすることができ、多面体部での摘まみ上げの力を大きくすることが可能となる。結果、より小さな力で、マッサージをすることが可能となるので、マッサージ時に疲労感を感じにくい、美容用マッサージ器が提供可能となる。
【００４９】
略円錐台状の部分を、複数の多面体部とすることで、さらに、多面体部での摩擦を大きくすることができるので、多面体部での摘まみ上げの力を大きくすることが可能となる。結果、より小さな力で、マッサージをすることが可能となるので、マッサージ時に疲労感を感じにくい、美容用マッサージ器が提供可能となる。
【００５０】
本考案のこれら、及び他の目的、特徴、局面、効果は、添付図面と照合して、以下の詳細な説明から一層明らかになるであろう。
【図面の簡単な説明】
【００５１】
【図１】図１は、本考案の第１の実施形態における美容用マッサージ器１の平面図である。
【図２】図２は、美容用マッサージ器１の正面図である。
【図３】図３は、美容用マッサージ器１の図１のＸ−Ｘ線における断面図である。
【図４】図４は、美容用マッサージ器１の底面図である。
【図５】図５は、美容用マッサージ器１の左側面図である。
【図６】図６は、美容用マッサージ器１の右側面図である。
【図７】図７は、美容用マッサージ器１の斜視図である。
【図８】図８（ａ）は、従来の美容用マッサージ器９０の正面図である。図８（ｂ）は、ローラー３ａ及び３ｂを下にしたときの美容用マッサージ器１の正面図である。図８（ｃ）は、ローラー３ａ及び３ｂを上にしたときの美容用マッサージ器１の正面図である。
【図９】図９（ａ）は、従来の美容用マッサージ器９０の使用状態を示す図である。図９（ｂ）は、美容用マッサージ器１の使用状態を示す図である。
【図１０Ａ】図１０Ａは、従来の美容用マッサージ器９０を顔９３に当ててマッサージする際の様子を模式的に示す正面図である。
【図１０Ｂ】図１０Ｂは、従来の美容用マッサージ器９０を顔９３に当ててマッサージする際の様子を模式的に示す斜視図である。
【図１０Ｃ】図１０Ｃは、従来の美容用マッサージ器９０を顔９３に当ててマッサージする際の様子を模式的に示す平面図である。
【図１１Ａ】図１１Ａは、美容用マッサージ器１を顔１０に当ててマッサージする際の様子を模式的に示す正面図である。
【図１１Ｂ】図１１Ｂは、美容用マッサージ器１を顔１０に当ててマッサージする際の様子を模式的に示す斜視図である。
【図１１Ｃ】図１１Ｃは、美容用マッサージ器１を顔１０に当ててマッサージする際の様子を模式的に示す平面図である。
【図１２】図１２（ａ）は、本考案の第２の実施形態における美容用マッサージ器１の正面図である。図１２（ｂ）は、顔などの身体に対して、下から上に美容用マッサージ器１を移動させたときの様子を示す図である。図１２（ｃ）は、図１２（ｂ）と比較するために、ハンドル２を直線状にした場合の図である。
【図１３】図１３（ａ）は、本考案の第３の実施形態に係る美容用マッサージ器１の正面図である。図１３（ｂ）は、本考案の第４の実施形態に係る美容用マッサージ器１の正面図である。図１３（ｃ）は、本考案の第５の実施形態に係る美容用マッサージ器１の正面図である。図１３（ｄ）は、本考案の第６の実施形態に係る美容用マッサージ器１の正面図である。
【図１４】図１４（ａ）は、本考案の第７の実施形態における美容用マッサージ器１について、ローラー３ａ及び３ｂを上向きにしたときに、水平台に載置した場合の正面図である。図１４（ｂ）は、肌線と軸線Ｌ２との間の角ａ２が鋭角となるように、美容用マッサージ器１を移動させたときの図である。
【図１５】図１５（ａ）は、第８の実施形態における美容用マッサージ器１の正面図である。図１５（ｂ）は、第８の実施形態における美容用マッサージ器１を、顔等の身体に当てて、下から上（矢印ｙ）の方向に移動させるときの様子を示す図である。
【考案を実施するための形態】
【００５２】
（第１の実施形態）
図１は、本考案の第１の実施形態における美容用マッサージ器１の平面図である。図２は、美容用マッサージ器１の正面図である。図３は、美容用マッサージ器１の図１のＸ−Ｘ線における断面図である。図４は、美容用マッサージ器１の底面図である。図５は、美容用マッサージ器１の左側面図である。図６は、美容用マッサージ器１の右側面図である。図７は、美容用マッサージ器１の斜視図である。
【００５３】
美容用マッサージ器１は、ハンドル２と、一対のローラー３ａ，３ｂとを備える。図３に示すように、ハンドル２は、くり抜き部２ｃを有している。くり抜き部２ｃは、蓋４で閉じられている。蓋４は、ハンドル２の一部である。ハンドル２は、限定されるものではないが、好ましくは、樹脂成型品である。くり抜き部２ｃには、金属製の重りを入れておくとよい。重りによって、重量感が増し、安定したマッサージが可能となる。なお、蓋４は、ハンドル２へのスナップ結合のための係止爪を端部に有している。
【００５４】
ハンドル２は、先端側が、二股に分かれている。二股部２ａ及び２ｂには、それぞれ、ローラー３ａ及び３ｂを回転可能に支持するための回転軸（図示せず）が取り付けられている。回転軸には、軸受（図示せず）が設けられている。ローラー３ａ及び３ｂの内部には、穴が設けられている。当該穴に、回転軸に取り付けられた軸受が圧入等されて、ローラー３ａ及び３ｂが回転軸に対して、回転可能に支持されることとなる。
【００５５】
二本の回転軸の軸線の間の角度や、二つのローラー３ａ及び３ｂの間の間隔（最短距離のことをいう）、二本の回転軸の軸線とハンドル２との間の角度などは、単なる設計事項に過ぎず、当業者が適宜、希望する摘み上げ作用の強弱に応じて、角度や間隔を決定すればよい。したがって、本件図面に示した角度や間隔はあくまでも一例に過ぎず、本考案を限定するものではない。
【００５６】
なお、本件図面では、ローラー３ａ及び３ｂは、非貫通状態で支持軸に支持されている構造としているが、ローラー３ａ及び３ｂは、貫通状態で、支持軸に支持されてもよい。
【００５７】
ローラー３ａ及び３ｂにおいて、支持軸の先端側は、多面体状にカットされていない曲面部３ｃとなっている。曲面部３ｃの周りは、多面体状にカットされたような形状の複数の多面体部３ｄが設けられている。曲面部３ｃと複数の多面体部３ｄとによって、略半円球状が形成されている。好ましくは、各多面体部３ｄは、五角形以上であると、曲面部３ｃと一体感が得られる形状となってよいが、特に限定されない。略半円球状部から、支持軸の基端側に略円錐台状の形状が伸びており、略円錐台状部には、多面体状にカットされたような形状の複数の多面体部３ｅが設けられている。好ましくは、各多面体部３ｅは、四角形状であると、略円錐台状部に沿った形状となってよいが、特に限定されない。
【００５８】
多面体部３ｄ及び３ｅは、肌と面で接触するため、点で接触する場合に比べて摩擦が大きくなる。
【００５９】
略半球状の部分の曲面部３ｃと複数の多面体部３ｄとによって、デザイン性に優れただけではなく、曲面部３ｃでの肌への接触が優しいマッサージを実現できると共に、多面体部３ｄでの摩擦を大きくすることができ、多面体部での摘まみ上げの力を大きくすることが可能となる。結果、より小さな力で、マッサージをすることが可能となるので、マッサージ時に疲労感を感じにくい、美容用マッサージ器１が提供可能となる。
【００６０】
略円錐台状の部分の複数の多面体部３ｅによって、さらに、多面体部３ｅでの摩擦を大きくすることができるので、多面体部での摘まみ上げの力を大きくすることが可能となる。結果、より小さな力で、マッサージをすることが可能となるので、マッサージ時に疲労感を感じにくい、美容用マッサージ器１が提供可能となる。
【００６１】
次に、ハンドル２の形状について、より詳細に説明する。図８（ｂ）及び図８（ｃ）は、ハンドル２の形状を説明するための美容用マッサージ器１の正面図である。図８（ｂ）では、ローラー３ａ及び３ｂを下にした状態で、美容用マッサージ器１を、水平台の上に載置した状態を示している。図８（ｃ）では、ローラー３ａ及び３ｂを上にした状態で、美容用マッサージ器１を、水平台の上に載置した状態を示している。図８（ｂ）及び図８（ｃ）において、説明に用いる稜線ｕ２及びｓ２は、太線で示している（他の実施形態についても同様）。なお、図８（ｃ）では、ローラー３ａ及び３ｂを下にした状態で水平台に載置した場合の水平基準線を、（水平基準線）と記載して、一点鎖線で示している（図１４（ａ）についても同様）。
【００６２】
図９（ｂ）は、美容用マッサージ器１を、顔等の身体に当てて、下から上（矢印ｙ）の方向に移動させるときの様子を示す図である。
【００６３】
図８（ｂ）に示すように、ローラー３ａ及び３ｂを下にした状態で水平台に美容用マッサージ器１を載置すると、接点Ｄで、水平基準線とハンドル２とが接する。
【００６４】
なお、実施形態によっては、水平台とハンドル２とが接する部分が1点ではなく、一定の領域を有する場合がある。そのような場合、以下に説明する横幅ｍ１を画定するための接点Ｄとして、接する領域の基端側に最も近い部分を用いることとする。
【００６５】
美容用マッサージ器１のハンドル２は、接点Ｄからさらに、基端側にも、伸びている。図８（ｂ）において、接点Ｄからさらに基端側に伸びたハンドル２の横幅をｍ１としている。横幅ｍ１に相当する箇所のハンドル２の下部の稜線ｓ２は、水平基準線から斜め上方向に湾曲している。そのため、ハンドル２と水平基準線との間には、横幅ｍ１の範囲において、間隙ｗ１が存在することとなる。
【００６６】
図９（ｂ）に示すように、左手又は右手でハンドル２の領域ｃ２を把持して、顔などの身体に、美容用マッサージ器１を当ててマッサージする際、軸線Ｌ２と肌線との間の角度ａ２が鋭角になるように、ハンドル２を傾けたとすると、間隙ｗ１が存在するため、ハンドル２は、肌線からさらに離れたところに位置することとなる。このように、図９（ａ）の間隔ｄ１に比べて、図９（ｂ）の間隔ｄ２の方が、長くなることなる。したがって、ハンドル２を握った手を顔側に近づけることなく、離した状態で、美容用マッサージ器１を下から上に移動させることができるので、手首や肩に疲労感を感じることなく、下から上への摘み上げ作用を生じさせることが可能となる。
【００６７】
図９（ａ）及び図９（ｂ）では、鋭角ａ１及びａ２を略同じ値であるとして作図しているが、図９（ａ）のハンドル９１の概略の傾斜角を示す線Ｍ１と図９（ｂ）のハンドル２の概略の傾斜角を示す線Ｍ２とを比べた場合、軸線Ｌ１及び軸線Ｌ２との間の角度が、図９（ａ）の角ｂ１に比べて、図９（ｂ）の角ｂ２の方が小さくなっている。したがって、図９（ｂ）に示す美容用マッサージ器１の方が、肌線と軸線との間が同じ鋭角であるにも関わらず、倒した状態で、マッサージが可能であると言える。
【００６８】
このように、第１の実施形態では、ハンドル２の下側の稜線ｓ２の形状を、美容用マッサージ器１を水平基準線に載置した際に、水平基準線と接する接点Ｄよりもさらに基端側に、ハンドル２が持ち上がり、間隙ｗ１を生じさせるような形状となっている。これによって、顔などの身体とハンドル２との間の距離を大きくとることができるため、疲労感を得にくい美容用マッサージ器１が提供されることとなる。
【００６９】
横幅ｍ１の部分で、使用者がハンドル２を持つことになることから、横幅ｍ１の部分は、指１本から４本程度の長さを有しているとよい。指１本の太さが１ｃｍ〜１．５ｃｍ程度であるとすると、接点Ｄからハンドル２の基端までの横幅ｍ１は、少なくとも１ｃｍ以上は設けられているとよい。好ましくは、横幅ｍ１は、２ｃｍ以上設けていれば、指１本から２本程度で、確実に把持できる。本願出願人が製造した試作品では、指２本から４本程度で確実に把持できるように、接点Ｄからハンドル２の基端までの横幅ｍ１を３ｃｍ以上６ｃｍ以下としたが、この場合、実験の結果、良好に顔などの身体をマッサージできることが確認できた。もちろん、本考案において、接点Ｄからハンドル２の基端までの横幅ｍ１を６ｃｍ以上としてもよいことは言うまでもない。
【００７０】
ハンドル２の基端側が持ち上がった形状にすることで、水平基準線との間に、間隙ｗ１を設けることが可能となる。ハンドル２の基端側を持ち上げて、間隙ｗ１を得るために、図８（ｂ）に示すように、ハンドル２の下側の稜線ｓ２を、先端側から接点Ｄまでを上から下に向かった湾曲形状とし、接点Ｄから基端側までを上から下に向かった湾曲形状とするとよい。すなわち、稜線ｓ２は、下側に膨らんだ曲線状となっている。稜線ｓ２は、自由曲線であるため、曲率を一律に決めることは困難であるが、言い換えるならば、少なくとも、稜線ｓ２上の任意の点において近似される曲率円の中心（曲率中心）は、図８（ｂ）のハンドル２の上側に設けられていると言える。
【００７１】
一方、図８（ａ）に示す従来の美容用マッサージ器９０の場合、下側の稜線ｓ１のように、先端側から頂上まで下から上に湾曲した形状を有しており、頂上から基端側まで上から下に湾曲した形状を有している。すなわち、稜線ｓ１は、上側に膨らんだ曲線状となっている。したがって、言い換えるならば、図８（ａ）に示す従来の美容用マッサージ器９０の場合、稜線ｓ１の任意の点において近似される曲率円の曲率中心は、図８（ａ）のハンドル９１の下側に設けられていると言える。
【００７２】
このように、ローラー３ａ及び３ｂを下にして、美容用マッサージ器１を水平台の上に載置した状態の正面視において、ハンドル２の下側の稜線ｓ２を先端側から水平台との接点Ｄまでは上から下に湾曲させ、接点Ｄから基端側までは下から上に湾曲させる形状とすること、すなわち、下側に膨らんだ曲線状とすることで、デザイン性に優れかつ把持しやすい滑らかな形状を保ちつつ、さらに、ハンドル２の基端側を持ち上げることができる美容用マッサージ器１が提供されることとなる。
【００７３】
なお、稜線ｓ２を一定の曲率で湾曲するような曲線状として、下側に膨らんだ稜線ｓ２を構成してもよい。
【００７４】
図８（ｂ）に示すように、正面視において、美容用マッサージ器１の上側の稜線ｕ２は、先端から基端側にかけて、上から下方向に湾曲する形状を有している。稜線ｕ２の最下点Ｅからは、下から上方向に稜線ｕ２は湾曲している。すなわち、稜線ｕ２は、下側に膨らんだ曲線状を有しており、言い換えるならば、稜線ｓ２と同様、稜線ｕ２の任意の点において近似される曲率円の曲率中心も、ハンドル２の上側に存在することとなる。
【００７５】
このように、下側に膨らんだ稜線ｕ２を用いることで、デザイン性に優れかつ把持しやすい滑らかな形状を有する美容用マッサージ器１が提供されることとなる。
【００７６】
なお、稜線ｕ２を一定の曲率で湾曲するような曲線状として、下側に膨らんだ稜線ｕ２を構成してもよい。
【００７７】
なお、稜線ｕ２及び稜線ｓ２について、下側に膨らむ形状は、全体的なものでなくてもよく、少なくとも一部に有していてもよい。
【００７８】
上側の稜線ｕ２が下側に膨らむような曲線状とすることで、図８（ｃ）に示すように、ローラー３ａ及び３ｂを上にして水平台に載置した場合、水平台とハンドル２との間に間隙ｗ２が生じることとなる。この間隙ｗ２によって、ハンドル２が把持しやすくなる。
【００７９】
ハンドル２は、領域ｋ２に示すように、基端側で先細りとなる形状を有している。このように、基端側を先細りの形状とすることで、デザイン性が向上すると共に、把持しやすくなる。
【００８０】
なお、先細り形状を採用せずに、稜線ｕ２をそのまま、基端に向けて上方向に湾曲させて、稜線ｓ２と縦線などで連結してもよい。
【００８１】
図８（ｃ）に示すように、ローラー３ａ及び３ｂを上に向けて、美容用マッサージ器１を水平台に載置した場合、ハンドル２と水平基準線とは、先端側で接点Ａで接し、基端側で接点Ｂで接することとなる。このとき、稜線ｓ２の頂点Ｃを看取することができるが、三角形ＡＢＣにおいて、頂点Ｃは、底辺ＡＢの中心に対して、頂点Ｂ側に位置する三角形となっている。この場合、頂点Ｃよりも基端側の稜線ｓ２上の点は、頂点Ｃよりも低い位置となるため、間隙ｗ１が形成されることとなる。このように、一実施形態として、稜線ｓ２を画定するに際して、三角形ＡＢＣを用いることも可能である。
【００８２】
ただし、図８（ｃ）で示す三角形ＡＢＣの形状は、本考案を限定するものではなく、後ほど、図１４を参照しながら、他の実施形態についても説明する。
【００８３】
以上のように、第１の実施形態として用いた美容用マッサージ器１のハンドル２の形状を利用した場合、図９（ｂ）に示すように、肌線と軸線との間の角度を鋭角に保ちつつ下から上に移動させる場合に、間隔ｄ２を従来の間隔ｄ１に比べて大きくすることができるので、ハンドル２を握った手を顔側に近づけることなく、離した状態で、美容用マッサージ器１を下から上に移動させることができるので、手首や肩に疲労感を感じることなく、下から上への摘み上げ作用を生じさせることが可能となる。この点につき、図１１Ａないし図１１Ｃを用いて、具体的に確認する。
【００８４】
図１１Ａは、美容用マッサージ器１を顔１０に当ててマッサージする際の様子を模式的に示す正面図である。図１１Ｂは、美容用マッサージ器１を顔１０に当ててマッサージする際の様子を模式的に示す斜視図である。図１１Ｃは、美容用マッサージ器１を顔１０に当ててマッサージする際の様子を模式的に示す平面図である。図１１Ａないし図１１Ｃでは、美容用マッサージ器１の位置の違いに応じて、（ａ）ないし（ｈ）の表記を行っている。なお、図１１Ａないし図１１Ｃに示すマッサージの方向は、あくまでも一例に過ぎず、図示していない方向にマッサージしてもよいことは、言うまでもない。図１１Ａ及び図１１Ｂに示す矢印の方向は、摘み上げ作用が生じる移動方向である。
【００８５】
たとえば、左手又は右手で美容用マッサージ器１を把持して、あごのラインをマッサージする場合は、（ａ）から（ｂ）の方向に移動し、頬骨やほうれい線をマッサージする場合は、（ｃ）から（ｄ）の方向に移動する。このときは、腕を引く動きで、美容用マッサージ器１を移動させることができるが、この場合も、肌線と軸線との間を鋭角に保った状態であっても、従来に比べて、ハンドル２と顔１０との間の距離が広く取られているので、使用者は、美容用マッサージ器１をスムーズに移動させて、摘み上げ作用を得ることができる。
【００８６】
そして、第１の実施形態では、特に、（ｅ）から（ｆ）の方向への移動や、（ｇ）から（ｈ）の方向への移動の際、すなわち、下から上（斜め方向の移動も含む）に美容用マッサージ器１を移動させるような場合、図１１Ｂ及び図１１Ｃに示されているように、顔１０とハンドル２との間の距離が従来に比べて広くなっていることが分かる。
【００８７】
よって、肌線と軸線との間を鋭角に保ちつつ、下から上への移動（斜め方向への移動も含む。以下同様。）して、摘み上げ作用を得ようとした場合でも、ハンドル２と顔１０との間の距離が従来に比べて大きくなっているので、手首を顔に近づける必要がなく、手首や肩をできる限り持ち上げなくても、下から上への移動による摘み上げ作用を得ることが可能となる。
【００８８】
したがって、第１の実施形態における美容用マッサージ器１によれば、使用者に疲労感を与えることなく、摘み上げ作用による顔のマッサージが可能となる。
【００８９】
（第２の実施形態）
第１の実施形態では、正面視において、ハンドル２の上下の稜線ｕ２及びｓ２は、曲線状であるとしたが、本考案においては、上下の稜線は、曲線状である場合に限らず、直線状であってもよい。すなわち、第１の実施形態のように、ハンドル２は、曲線状に湾曲していている場合に限らず、直線状に屈曲していいてもよい。以下、第２の実施形態について、図面を参照しながら、説明する。なお、第２の実施形態において、第１の実施形態と同様の機能を有する部分については、同一の参照符号を付している。また、第２の実施形態において、ローラー３ａ及び３ｂの外部及び内部の構造や支持軸の構造は、第１の実施形態と同様であるので、説明を省略する。
【００９０】
図１２（ａ）は、本考案の第２の実施形態における美容用マッサージ器１の正面図である。ここでは、第２の実施形態における美容用マッサージ器１の平面図等は省略するが、ハンドル２は、たとえば、屈曲した円筒状や楕円筒状、多角形柱状であると理解すればよく、第２の実施形態では、正面視における上下の稜線ｕ２及びｓ２の変形例について説明する。
【００９１】
図１２（ａ）において、美容用マッサージ器１の下側の稜線ｓ２は、上から下に先端側から直線状に伸びており、水平基準線との接点Ｄで上方向に屈曲して、基端まで伸びている。これによって、接点Ｄと基端までとの間に、横幅ｍ１で間隙ｗ１が形成されることとなる。
【００９２】
一方、上側の稜線ｕ２は、上から下に先端側から直線状に伸びており、最下点Ｅで上方向に屈曲して、基端まで伸びている。なお、基端部ｋ２は、先細りにはなっていない。
【００９３】
このように、第２の実施形態における美容用マッサージ器１のハンドル２は、水平台と接触する部分から基端側にかけて、斜め上方向に屈曲した形状を有している。
【００９４】
図１２（ｂ）は、顔などの身体に対して、下から上に美容用マッサージ器１を移動させたときの様子を示す図である。図１２（ｂ）に示すように、肌線と軸線Ｌ２との間の角度を鋭角ａ２とするように移動させる場合、空間ｗ１の存在によって、肌線とハンドル２との間の距離ｄ２を広くとることが可能である。図１２（ｃ）は、図１２（ｂ）と比較するために、ハンドル２を直線状にした場合の図である。図１２（ｃ）に示すように、ハンドル２を直線状とした場合、距離ｄ３が、ｄ２よりも狭くなっていることが分かる。
【００９５】
このように、正面視において、ハンドル２を直線状に屈曲する構造としても、間隙ｗ１を設けることで、顔などの身体から、ハンドル２を離すことができるので、第１の実施形態と同様、肌線と軸線との間を鋭角に保ちつつ、下から上への移動して、摘み上げ作用を得ようとした場合でも、ハンドル２と顔との間の距離が従来に比べて大きくなっているので、手首を顔に近づける必要がなく、手首や肩をできる限り持ち上げなくても、下から上への移動による摘み上げ作用を得ることが可能となる。
【００９６】
したがって、第２の実施形態における美容用マッサージ器１によれば、使用者に疲労感を与えることなく、摘み上げ作用による顔のマッサージが可能となる。
【００９７】
第１及び第２の実施形態との比較によって、本考案において、ハンドル２の基端側が持ち上がった構造となることによるメリットを理解することができるが、以下、第３〜第８の実施形態を例示することで、ハンドル２の基端側を持ち上がった構造とするために、どのようなハンドル２の形状が考えられるのかを例示することとする。ただし、本考案においては、ここで示す実施形態の形状にハンドル２の形状が限定されるものではなく、本考案に含まれる技術的思想を逸脱することなく、ハンドル２の形状を変形することが可能であることは、言うまでもない。
【００９８】
なお、以下に説明する第３ないし第８の実施形態においても、第１の実施形態と同様の機能を有する部分については、同一の参照符号を付し、ローラー３ａ及び３ｂの外部及び内部の構造や支持軸の構造は、第１の実施形態と同様であるので、説明を省略する。
【００９９】
（第３の実施形態）
図１３（ａ）は、本考案の第３の実施形態に係る美容用マッサージ器１の正面図である。第３の実施形態において、第１の実施形態と異なり、ハンドル２の上側の稜線ｕ２は、先端から基端にかけて、上側に膨らむ曲線状を有している。平面図等については省略するが、正面形状に合わせて、当業者であれば、適宜、平面視等の形状を決めることが可能である（他の実施形態についても同様）。
【０１００】
図１３（ａ）に示すように、上側の稜線ｕ２が上側に膨らむ曲線状であったとしても、下側の稜線ｓ２を第１の実施形態とのように、下側に膨らむ曲線状とすることで、間隙ｗ１を設けることが可能である。
【０１０１】
なお、上側の稜線ｕ２の上側に膨らむ曲線状は、全体的なものでなくてもよく、少なくとも一部に有していてもよい。
【０１０２】
したがって、第３の実施形態において、間隙ｗ１の存在により、ハンドル２を顔から離すことが可能であるので、第１の実施形態と同様の作用効果を得ることが可能である。
【０１０３】
（第４の実施形態）
図１３（ｂ）は、本考案の第４の実施形態に係る美容用マッサージ器１の正面図である。第１の実施形態では、下側の稜線ｓ２について、先端から接点Ｄまでの間は、下側に膨らむ曲線であるとした。一方、第４の実施形態では、下側の稜線ｓ２について、先端から接点Ｄまでの間は、上側に膨らむ曲線であるとし、接点Ｄから基端までは、斜め上方向に延びる曲線又は直線であるとしている。第４の実施形態における上側の稜線ｕ２は、第１の実施形態と同様である。
【０１０４】
このように、先端から接点Ｄまでが上側に膨らむ曲線であったとしても、ハンドル２の基端側を持ち上がった形状とすることが可能であり、間隙ｗ１を設けることが可能である。
【０１０５】
なお、下側の稜線ｓ２の上側に膨らむ曲線状は、接点Ｄまで存在しなくてもよく、少なくとも一部に有していてもよい。
【０１０６】
したがって、第４の実施形態において、間隙ｗ１の存在により、ハンドル２を顔から離すことが可能であるので、第１の実施形態と同様の作用効果を得ることが可能である。
【０１０７】
（第５の実施形態）
図１３（ｃ）は、本考案の第５の実施形態に係る美容用マッサージ器１の正面図である。第１の実施形態と異なり、第５の実施形態における上側の稜線ｕ２は、指に合わせるなど、波打った形状を少なくとも一部に有するとしている。第５の実施形態における下側の稜線ｓ２は、第４の実施形態と同様である。
【０１０８】
このように、上側の稜線ｕ２が少なくとも一部に波打った形状であったとしても、間隙ｗ１の存在により、ハンドル２を顔から離すことが可能であるので、第５の実施形態についても、第１の実施形態と同様の作用効果を得ることが可能である。
【０１０９】
なお、第５の実施形態において、基端側の領域ｋ２におけるハンドル２の形状は、先細りの形状ではないとしている。
【０１１０】
（第６の実施形態）
図１３（ｄ）は、本考案の第６の実施形態に係る美容用マッサージ器１の正面図である。第１の実施形態と異なり、第６の実施形態における下側の稜線ｓ２は、指に合わせるなど、波打った形状を少なくとも一部に有するとしている。第５の実施形態における上側の稜線ｕ２は、第１の実施形態と同様である。
【０１１１】
このように、下側の稜線ｓ２が波打った形状であったとしても、間隙ｗ１の存在により、ハンドル２を顔から離すことが可能であるので、第６の実施形態についても、第１の実施形態と同様の作用効果を得ることが可能である。
【０１１２】
（第７の実施形態）
図１４（ａ）は、本考案の第７の実施形態における美容用マッサージ器１について、ローラー３ａ及び３ｂを上向きにしたときに、水平台に載置した場合の正面図である。図１４（ａ）では、図８（ｃ）と同様の観点で、三角形ＡＢＣを描いた。図１４（ａ）に示すように、第７の実施形態では、第１の実施形態と異なり、頂点Ｃが、先端側の接点Ａに近い側に設けられているように、ハンドル２を構成している。
【０１１３】
図１４（ｂ）は、肌線と軸線Ｌ２との間の角ａ２が鋭角となるように、美容用マッサージ器１を移動させたときの図である。図１４（ｂ）に示すように、頂点Ｃが先端側に存在するようなハンドル形状であったとしても、間隙ｗ１を設けることができるので、距離ｄ２を広くすることができる。
【０１１４】
よって、第７の実施形態についても、第１の実施形態と同様の作用効果を得ることが可能である。
【０１１５】
このように、本考案は、頂点Ｃの位置には依存しない。
【０１１６】
（第８の実施形態）
第１ないし第７の実施形態では、美容用マッサージ器１を水平台に載置した際に、ローラー３ａ及び３ｂの回転軸の軸線Ｌ２と水兵基準線との間の角ａ２の角度（図８（ｂ）、図１２（ａ）、及び図１３（ａ）ないし（ｄ）参照）が鋭角である場合を想定した。ただし、肌を摘まみ上げる作用は、実際の肌線と軸線Ｌ２との間の角度が鋭角であれば生じる作用であるので、結果的には、使用者が美容用マッサージ器１を軸線Ｌ２の傾斜角に併せて、どの方向に移動させるかということと関係する事項であり、軸線Ｌ２の角度については、変形しうる技術的事項である。
【０１１７】
図１５（ａ）は、第８の実施形態における美容用マッサージ器１の正面図である。図１５（ａ）に示すように、水平台に美容用マッサージ器１を載置した場合に、ローラー３ａ及び３ｂの軸線Ｌ１と水平基準線との間の角度ａ２が９０度以上１８０度未満となる場合であっても、第１の実施形態と同様に、ハンドル２の基端側に、空間ｗ１を設けることが可能である。接点Ｄ、横幅ｍ１、稜線ｓ２及びｕ２についても同様である。
【０１１８】
図１５（ｂ）は、第８の実施形態における美容用マッサージ器１を、顔等の身体に当てて、下から上（矢印ｙ）の方向に移動させるときの様子を示す図である。図１５（ｂ）に示すように、軸線Ｌ２と肌線との間の角ａ２とを鋭角にする場合、美容用マッサージ器１は、ローラー３ａ及び３ｂが上側に位置する場合である。この場合、図１５（ｂ）の矢印ｙの方向、すなわち、ハンドル２の基端から先端の方向に美容用マッサージ器１を移動させることで、肌を摘まみ上げることが可能である。そして、図１５（ｂ）のような場合でも、間隙ｗ１が存在するため、間隔ｄ２を広くとることができ、顔等に手を近づけなくても摘まみ上げ作用によるマッサージを実現することが可能となる。
【０１１９】
よって、第８の実施形態についても、第１の実施形態と同様の作用効果を得ることが可能である。
【０１２０】
第１ないし第７の実施形態における軸線Ｌ２の傾斜方向がハンドル２に対して先端側に傾斜しているとし、第８の実施形態における軸線Ｌ２の傾斜方向がハンドル２に対して基端側に傾斜していると表現した場合、軸線Ｌ２の傾斜方向は、ハンドル２に対して先端側に傾斜する場合でも、基端側に傾斜する場合でも、どちらの場合でも、本考案では、ハンドル２の基端側に間隙ｗ１を設けるように、ハンドル２の基端側が持ち上がるよう形状とすれば、使用者に疲労感を与えることなく、摘まみ上げ作用による顔のマッサージが可能な美容用マッサージ器を提供することが可能となる。
【０１２１】
なお、全ての実施形態において、ローラー３ａ及び３ｂの形状は、特に限定されるものではない。上記実施形態で示したように、洋ナシ状のローラー３ａ及び３ｂの他、球状のローラーを用いてもよい。また、ローラー３ａ及び３ｂは、断面が円筒状であってもよいし、断面が楕円状であってもよいし、断面が面取りされた長方形状であってもよいし、その他、マッサージするのに適切な形状のローラー３ａ及び３ｂが用いられてもよい。また、一対のローラー３ａ及び３ｂは、共に、同じ形状であってもよいし、異なる形状であってもよい。また、一対のローラー３ａ及び３ｂは、共に、同じ大きさであってもよいし、異なる大きさであってもよい。ローラー３ａ及び３ｂをいかなる形状としてとしても、空間ｗ１を用いるようなハンドルを用いる限り、顔からハンドル２を離すことが可能であるので、第１の実施形態と同様の作用効果を得ることが可能となる。
【０１２２】
なお、上記全ての実施形態では、ローラー３ａ及び３ｂは、ハンドル２の先端側に設けられた二股部２ａ及び２ｂに回転可能に支持されていることとしたが、ハンドル２に直接回転軸を取り付け、当該回転軸に対して、ローラー３ａ及び３ｂが回転可能に支持されるような構造であってもよい。
【０１２３】
なお、略半球状の部分にカットされていない曲面と多面体状にカットされている複数の多面体部とを有するとするローラーの形状は、一対のローラーを用いるような美容用マッサージ器の他、ローラーが１つだけ備わった一本タイプの美容用マッサージ器にも用いることが可能である。すなわち、ハンドルに回転可能に支持された美容用マッサージ器に対して、本実施形態に示したローラーを備えるようにしてもよい。
【０１２４】
以上、本考案を詳細に説明してきたが、前述の説明はあらゆる点において本考案の例示にすぎず、その範囲を限定しようとするものではない。本考案の範囲を逸脱することなく種々の改良や変形を行うことができることは言うまでもない。本明細書に開示されている考案の構成要件は、それぞれ独立に単独した考案として成立するものとする。各構成要件をあらゆる組み合わせ方法で組み合わせた考案も、本考案に含まれることとする。
【産業上の利用可能性】
【０１２５】
本考案は、美容用マッサージ器であり、産業上利用可能である。
【符号の説明】
【０１２６】
１  美容用マッサージ器
２  ハンドル
３ａ，３ｂ  ローラー
３ｃ  曲面部
３ｄ，３ｅ  多面体部
４  蓋
ｓ２  下側の稜線
ｕ２  上側の稜線
Ｌ２  回転軸の軸線
ｗ１  間隙
ｗ２  間隙
ｍ１  横幅
ｋ２  基端側の領域
１０  模式的に示した顔
【図１】
0003219470.tif 000003
【図２】
0003219470.tif 000004
【図３】
0003219470.tif 000005
【図４】
0003219470.tif 000006
【図５】
0003219470.tif 000007
【図６】
0003219470.tif 000008
【図７】
0003219470.tif 000009
【図８】
0003219470.tif 000010
【図９】
0003219470.tif 000011
【図１０Ａ】
0003219470.tif 000012
【図１０Ｂ】
0003219470.tif 000013
【図１０Ｃ】
0003219470.tif 000014
【図１１Ａ】
0003219470.tif 000015
【図１１Ｂ】
0003219470.tif 000016
【図１１Ｃ】
0003219470.tif 000017
【図１２】
0003219470.tif 000018
【図１３】
0003219470.tif 000019
【図１４】
0003219470.tif 000020
【図１５】
0003219470.tif 000021